(57)【要約】【課題】タッチパネルの入力方式において、重畳表示された画像に対し、直感的な操作を可能にした画像表示装置を提供すること。【解決手段】画像を表示する表示手段と、前記表示手段の表示面のタッチ操作を検知する表示面操作手段と前記表示手段の裏面側に配され、タッチ操作を検知する裏面操作手段とを有し、前記表示手段によって、画像が重畳表示された際に、前記重畳表示の表示面側に表示された画像の操作を前記表示面操作手段に割り当て、前記重畳表示の裏面側に表示された画像の操作を前記裏面操作手段に割り当てることを特徴とする。【選択図】図５
2017174029.tif 000002
【特許請求の範囲】
【請求項１】
画像を表示する表示手段（４１）と、
前記表示手段の表示面のタッチ操作を検知する表示面操作手段（４２）と、
前記表示手段の裏面側に配され、タッチ操作を検知する裏面操作手段（４４）を有し、
前記表示手段によって、画像が重畳表示された際に、前記重畳表示の表示面側に表示された画像の操作を前記表示面操作手段に割り当て、前記重畳表示の裏面側に表示された画像の操作を前記裏面操作手段に割り当てることを特徴とする画像表示装置。
【請求項２】
前記画像表示装置は、被写体を撮像する撮像手段（２２、５０、１０１）と、
前記撮像手段の機能を選択する、機能選択手段（４２、７０）を有し、
前記表示面操作手段で操作可能なように前記重畳表示の表示画像へ前記機能選択手段を表示することを特徴とする請求項１に記載の画像表示装置。
【請求項３】
前記画像表示装置は、被写体を撮像する撮像手段（２２、５０、１０１）と、
被写体に合焦する合焦手段（３、５０、２４）と、
前記合焦手段の合焦エリアを選択する合焦枠選択手段（４４、７０）を有し、
前記合焦枠選択手段は、前記裏面操作手段で操作に応じて前記重畳表示の裏面側の表示画像へ合焦枠を表示することを特徴とする請求項１に記載の画像表示装置。
【請求項４】
画像を表示する表示手段と、
前記表示手段の表示面のタッチ操作を検知する表示面操作手段（４２）と、
前記表示手段の裏面側に配され、タッチ操作を検知する裏面操作手段（４４）を有し、
前記表示手段によって、複数の画像レイヤが重畳表示された際に、
画像レイヤを選択する画像レイヤ選択手段（４１、４４）と、
前記表示面操作手段と前記裏面操作手段の操作に応じて、画像レイヤの重畳順序を変更する重畳順序変更手段（４２、４４）を有することを特徴とする画像表示装置。
【発明の詳細な説明】
【技術分野】
【０００１】
本発明は、画像表示装置に関し、特にタッチ式の操作手段を有する画像表示装置に関する。
【背景技術】
【０００２】
近年の機器には、タッチパネルを用いた入力方式を取り入れた機器が多く存在する。入力にタッチパネルを用いることで、ジェスチャ入力等の直感的な入力を行うことができる。ジェスチャ入力とは、あらかじめ決められた動作を特定の機器の操作に対応づけておき、タッチパネルに対し、ペンや指でジェスチャを入力することで特定の操作を実行する入力方式である。上記の入力方式を用いて、タッチパネルによるＡＦ枠の指定、および、メニュー操作が実施されている。
【０００３】
ライブビューで表示された被写体像の任意の部分を指、もしくはペンで軽くたたく（以下、タップと称する）と、タップした箇所をＡＦ枠として指定することができる。また、タッチによる撮影作動ＯＮ／ＯＦＦなどのアイコンが、ライブビュー画像に重畳表示されている。前記アイコンはライブビュー画像を隠さないよう、また、ＡＦ枠指定可能な領域と重畳しないように、小さく表示されている。
【０００４】
しかしながら、アイコンとその反応領域が小さいためにアイコンのタッチ操作がしづらく、不便であった。また、メニューによっては所定のアイコンをタッチしなければ、メニュー選択に移行できず、操作が煩雑であった。
【０００５】
特許文献１には、表示面のタッチパネルの裏面にもタッチパネルを配し、双方のタッチパネルの操作によって、表示画像の拡大、回転といった画像処理を行う方法が開示されている。同方法を用いることで、メニューアイコンを選択することなく、表示画像の表示切替が可能になっている。
【先行技術文献】
【特許文献】
【０００６】
【特許文献１】特開２０１１−７６２３３号公報
【発明の概要】
【発明が解決しようとする課題】
【０００７】
しかしながら、上記の特許文献１に開示された従来技術では、表示面タッチパネルと裏面タッチパネルのジェスチャ入力の組合せによって所定の処理を行うため、選択可能なメニューが限られている。また、重畳表示された画像に対して、表示面と裏面のタッチパネルを利用した操作方法が提案されていない。
【０００８】
そこで、本発明の目的は、タッチパネルの入力方式において、重畳表示された画像に対し、直感的な操作を可能にした画像表示装置を提供することにある。
【課題を解決するための手段】
【０００９】
上記の目的を達成するために、本発明に係る画像表示装置は、
画像を表示する表示手段（４１）と、前記表示手段の表示面のタッチ操作を検知する表示面操作手段（４２）と、前記表示手段の裏面側に配され、タッチ操作を検知する裏面操作手段（４４）とを有し、前記表示手段によって、画像が重畳表示された際に、前記重畳表示の表示面側に表示された画像の操作を前記表示面操作手段に割り当て、前記重畳表示の裏面側に表示された画像の操作を前記裏面操作手段に割り当てることを特徴とする。
【発明の効果】
【００１０】
本発明によれば、重畳表示された画像に対し、直感的な操作を可能にした画像表示装置を提供することができる。
【図面の簡単な説明】
【００１１】
【図１（ａ）】本実施例における画像表示装置の一例であるデジタルカメラの外観図である。
【図１（ｂ）】本実施例における画像表示装置の一例であるデジタルカメラの外観図である。
【図１（ｃ）】本実施例における画像表示装置の一例であるデジタルカメラの外観図である。
【図２】本実施例における画像表示装置の一例であるデジタルカメラ表示部の可動方向を示す図である。
【図３】（ａ）（ｂ）（ｃ）（ｄ）は、それぞれ、本実施例における画像表示装置の一例であるデジタルカメラ表示部の可動形態を示す図である。
【図４】本実施例における画像表示装置の一例であるデジタルカメラのブロック図である。
【図５】本実施例におけるＬＶモードの表示画面の一例を示す図である。
【図６】本実施例におけるＬＶモードにおいてメニュー操作のフローチャートの一例を示す図である。
【図７】本実施例におけるＬＶモードの合焦枠選択操作のフローチャートの一例を示す図である。
【図８】本実施例における画像処理モードの表示画面の一例を示す図である。
【図９】本実施例における画像処理モードのフローチャートの一例を示す図である。
【発明を実施するための形態】
【００１２】
以下に、本発明の好ましい実施形態を、添付の図面に基づいて詳細に説明する。
【００１３】
図１の（ａ）、（ｂ）、（ｃ）に、本発明の画像表示装置の一例としてのデジタルカメラの外観図を示す。図１の（ａ）はデジタルカメラ１００の前面斜視図であり、図１の（ｂ）はデジタルカメラ１００の背面斜視図である。図１の（ｃ）はデジタルカメラ１００の表示ユニット４０を開状態にした背面斜視図である。
【００１４】
図１において、表示ユニット４０は画像や各種情報を表示するユニットであり、ヒンジ部４３によって、開閉方向、上下反転方向の２軸で回転可能に支持されている。
【００１５】
表示ユニット４０は液晶等で構成されるＬＣＤパネル４１と、前記ＬＣＤパネル４１と一体に構成されたタッチパネル４２、および、前記表示ユニット４０の表示面の反対側に配されたタッチパッド４４で構成される。
【００１６】
なお、図１の（ｂ）はタッチパッド４４を外側に露出させて、表示ユニット４０を収納した状態である。このとき、表示面となるＬＣＤパネル４１はデジタルカメラ１００の本体と対向して隠されている。また、図１の（ｃ）は、図１の（ｂ）の状態からヒンジ部４３を中心に表示ユニット４０を回動させて開いた状態である。このとき、表示ユニット４０の表示面となるＬＣＤパネル４１が撮影者から見えるように対向している。
【００１７】
シャッターボタン６１は撮影指示を行うための操作部である。
【００１８】
モード切替スイッチ６０は各種モードを切り替えるための操作部である。
【００１９】
メイン電子ダイヤル７１は回転操作部材であり、このメイン電子ダイヤル７１を回すことで、シャッター速度や絞りなどの設定値の変更等が行える。
【００２０】
電源スイッチ７２はデジタルカメラ１００の電源のＯＮおよびＯＦＦを切り替える操作部材である。
【００２１】
十字キー７４は、上、下、左、右部分をそれぞれ押し込み可能な十字キーである。十字キー７４の押した部分に応じた操作が可能である。
【００２２】
ＳＥＴボタン７５は押しボタンであり、主に選択項目の決定などに用いられる。
【００２３】
ＬＶボタン７６は、静止画撮影モードにおいてライブビュー（以下、ＬＶ）のＯＮとＯＦＦを切り替えるボタンである。動画撮影モードにおいては、動画撮影（記録）の開始、停止の指示に用いられる。
【００２４】
拡大ボタン７７は、撮影モードのライブビュー表示において拡大モードのＯＮ、ＯＦＦ、および拡大モード中の拡大率の変更を行うための操作ボタンである。再生モードにおいては再生画像を拡大し、拡大率を増加させるための拡大ボタンとして機能する。
【００２５】
再生ボタン７８は、撮影モードと再生モードとを切り替える操作ボタンである。撮影モード中に再生ボタン７８を押下することで再生モードに移行し、記録媒体２００に記録された画像のうち最新の画像を表示ユニット４０に表示させることができる。
【００２６】
クイックリターンミラー１２は、システム制御部５０から指示されて、不図示のアクチュエータによりアップダウンされる。
【００２７】
カメラ側通信端子１０はデジタルカメラ１００がレンズ側（着脱可能）と通信を行うための通信端子である。
【００２８】
接眼ファインダ１６はフォーカシングスクリーン１３を観察することで、レンズユニット１５０を通して得た被写体の光学像の焦点や構図の確認を行うための覗き込み型のファインダである。
【００２９】
蓋２０２は記録媒体２００を格納ひたスロットの蓋である。
【００３０】
グリップ部９０は、ユーザがデジタルカメラ１００を構えた際に右手で握りやすい形状とした保持部である。
【００３１】
図２を参照して、デジタルカメラ１００に対する表示ユニット４０の可動方向について説明する。
【００３２】
図２において、表示ユニット４０は、ヒンジ部４３（連結部）を介して、本体部１１０に対して、図示の開閉方向、上下反転方向の２軸で回転可能である。
【００３３】
図４で後述されるパネル状態検出部４５は、表示ユニット４０が開閉方向に所定の角度以上、デジタルカメラ１００の本体から開いた状態を開状態、それ以外の状態を閉状態とする検出結果を、同じく図４で後述されるシステム制御部５０に出力する。またパネル状態検出部４５は、表示ユニット４０が上下回転方向に所定の角度以上、上方向にあるいは下方向に回転した状態を反転状態、それ以外の状態を正位置状態とする検出結果をシステム制御部５０に出力する。
【００３４】
パネル状態検出部４５は少なくとも、図３に示す位置関係を検出可能である。
【００３５】
正位置収納状態（図３（ａ））：表示ユニット４０が正位置状態で、かつ閉状態である状態。表示ユニット４０の表示面（ＬＣＤパネル４１側）がデジタルカメラ１００の本体と対向して収納されており、背面のタッチパッド４４が露出する姿勢である。
【００３６】
正位置開状態（図３（ｂ））：表示ユニット４０が正位置状態で、かつ開状態である状態。正位置収納状態から、表示ユニット４０を、開閉方向に略１８０°開いた状態である。表示ユニット４０の表示面がカメラの撮像面と反対側を向き、撮影者がグリップ部９０を右手で把持した場合に表示ユニット４０の表示面が撮影者から見えるように対向する姿勢である。
【００３７】
反転開状態（図３（ｃ））：表示ユニット４０が反転状態で、かつ開状態である状態。正位置開状態から、表示ユニット４０を、上下反転方向に略１８０°回転した状態である。表示ユニット４０の表示面がデジタルカメラ１００の撮像面と同じ側を向き、撮影者がグリップ部９０を右手で把持した場合に表示ユニット４０の表示面が被写体側から見える姿勢であり、撮影者側からは表示ユニット４０の背面（タッチパッド４４側）が見えることになる。
【００３８】
反転収納状態（図３（ａ））：表示ユニット４０が反転状態で、かつ閉状態である状態。反転開状態から、表示ユニット４０を、開閉方向に略１８０°閉じた状態である。表示ユニット４０が、表示面を露出させた状態で、デジタルカメラ１００の本体に収納されており、タッチパッド４４面は、デジタルカメラ１００に対向した姿勢である。
【００３９】
なお、本発明における操作方法は、図３（ｂ）の正位置開状態で操作することを想定している。
【００４０】
図４は本実施形態によるデジタルカメラ１００の構成例を示すブロック図である。
【００４１】
図４において、レンズユニット１５０は、交換可能な撮影レンズを搭載するレンズユニットである。
【００４２】
レンズ１０３は通常、複数枚のレンズから構成されるが、ここでは簡略して一枚のレンズのみで示している。
【００４３】
レンズ側通信端子６はレンズユニット１５０がデジタルカメラ１００側と通信を行うための通信端子であり、カメラ側通信端子１０はデジタルカメラ１００がレンズユニット１５０側と通信を行うための通信端子である。
【００４４】
レンズユニット１５０は、このレンズ側通信端子６、および、カメラ側通信端子１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００４５】
ＡＥセンサ１７は、レンズユニット１５０を通した被写体の輝度を測光する。
【００４６】
焦点検出部１１は、システム制御部５０にデフォーカス量情報を出力する。システム制御部５０はそれに基づいてレンズユニット１５０を制御し、位相差ＡＦを行う。
【００４７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像素子部２２側とに切替えるためのミラーである。ミラー１２は通常時はファインダ１６へと光束を導くよう反射させるように配されているが、撮影が行われる場合やライブビュー表示の場合には、撮像素子部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００４８】
撮影者は、ペンタプリズム１４とファインダ１６を介して、フォーカシングスクリーン１３を観察することで、レンズユニット１５０を通して得た被写体の光学像の焦点や構図の確認が可能となる。
【００４９】
シャッター１０１は、システム制御部５０の制御で撮像素子部２２の露光時間を自由に制御できるフォーカルプレーンシャッターである。
【００５０】
撮像素子部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像素子部２２から出力されるアナログ信号をデジタル信号に変換するために用いられる。
【００５１】
画像処理部２５は、Ａ／Ｄ変換器２３からのデータ、又は、メモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００５２】
Ａ／Ｄ変換器２３からの出力データは、画像処理部２５およびメモリ制御部１５を介して、或いは、メモリ制御部１５を介してメモリ３２に直接書き込まれる。
【００５３】
メモリ３２は、撮像素子部２２によって得られＡ／Ｄ変換器２３によりデジタルデータに変換された画像データや、ＬＣＤパネル４１に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００５４】
Ｄ／Ａ変換器２４は、メモリ３２に格納されている画像表示用のデータをアナログ信号に変換してＬＣＤパネル４１に供給する。こうして、メモリ３２に書き込まれた表示用の画像データはＤ／Ａ変換器２４を介してＬＣＤパネル４１により表示される。Ａ／Ｄ変換器２３によって一度Ａ／Ｄ変換されメモリ３２に蓄積されたデジタル信号をＤ／Ａ変換器２４においてアナログ変換し、ＬＣＤパネル４１に逐次転送して表示することで、電子ビューファインダとして機能し、スルー画像表示（ライブビュー表示）を行える。
【００５５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００５６】
システム制御部５０は、デジタルカメラ１００全体を制御する。前述した不揮発性メモリ５６に記録されたプログラムを実行することで、後述する本実施形態の各処理を実現する。
【００５７】
５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器２４、ＬＣＤパネル４１等を制御することにより表示制御も行う。
【００５８】
システムタイマー５３は各種制御に用いる時間や、内蔵された時計の時間を計測する計時部である。
【００５９】
モード切替スイッチ６０、第１シャッタースイッチ６２、第２シャッタースイッチ６４、操作部７０はシステム制御部５０に各種の動作指示を入力するための操作手段である。
【００６０】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００６１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００６２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像素子部２２からの信号読み出しから記録媒体２００に画像データを書き込むまでの一連の撮影処理の動作を開始する。
【００６３】
操作部７０の各操作部材は、ＬＣＤパネル４１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面がＬＣＤパネル４１に表示される。利用者は、ＬＣＤパネル４１に表示されたメニュー画面と、上下左右の４方向ボタンやＳＥＴボタンとを用いて各種設定を行うことができる。
【００６４】
操作部７０は、ユーザからの操作を受け付ける入力部としての各種操作部材である。操作部７０には、少なくとも以下の操作部が含まれる。タッチパネル４２、タッチパッド、シャッターボタン６１、メイン電子ダイヤル７１、電源スイッチ７２、サブ電子ダイヤル７３、十字キー７４、ＳＥＴボタン７５、ＬＶボタン７６、拡大ボタン７７、再生ボタン７８。
【００６５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果およびシステム制御部５０の指示に基づいてＤＣ−ＤＣコンバータを制御し、必要な電圧を必要な期間、記録媒体２００を含む各部へ供給する。
【００６６】
電源部３０は、アルカリ電池やリチウム電池等の一次電池やＮｉＣｄ電池やＮｉＭＨ電池、Ｌｉ電池等の二次電池、ＡＣアダプター等からなる。
【００６７】
記録媒体Ｉ／Ｆ１８は、メモリカードやハードディスク等の記録媒体２００とのインターフェースである。
【００６８】
記録媒体２００は、撮影された画像を記録するためのメモリカード等の記録媒体であり、半導体メモリや磁気ディスク等から構成される。
【００６９】
なお、操作部７０の一つとして、ＬＣＤパネル４１に対する接触を検知可能なタッチパネル４２が含まれている。タッチパネル４２とＬＣＤパネル４１とは一体的に構成することができる。例えば、タッチパネル４２を光の透過率がＬＣＤパネル４１の表示を妨げないように構成し、ＬＣＤパネル４１の表示面の上層に取り付ける。そして、タッチパネル４２における入力座標と、ＬＣＤパネル４１上の表示座標とを対応付ける。これにより、あたかもユーザがＬＣＤパネル４１上に表示された画面を直接的に操作可能であるかのようなＧＵＩを構成することができる。
【００７０】
また、前述のとおり、表示ユニット４０の表示面と反対面に、検知可能なタッチパッド４４を有する。タッチパッド４４はタッチパネル４２と同様、タッチパッド４４における入力座標と、ＬＣＤパネル４１上の表示座標とが対応付けられている。これにより、ユーザがＬＣＤパネル４１の表示を裏面から操作可能であるかのようなＧＵＩを構成することができる。
【００７１】
システム制御部５０はタッチパネル４２、および、タッチパッド４４への以下の操作を検出できる。タッチパネル４２を指やペンで触れたこと（以下、タッチダウンと称する）。タッチパネル４２を指やペンで触れている状態であること（以下、タッチオンと称する）。タッチパネル４２を指やペンで触れたまま移動していること（以下、ムーブと称する）。タッチパネル４２へ触れていた指やペンを離したこと（以下、タッチアップと称する）。タッチパネル４２に何も触れていない状態（以下、タッチオフと称する）。これらの操作や、タッチパネル４２上に指やペンが触れている位置座標はシステム制御部５０に通知され、システム制御部５０は通知された情報に基づいてタッチパネル４２上にどのような操作が行なわれたかを判定する。
【００７２】
タッチダウンとタッチアップの操作が所定以下の短時間で行われる操作をタップと呼ぶ。タップは、指でタッチパネル４２を軽く１回たたく操作である。
【００７３】
また、所定の時間内にタップ操作を２回行うことをダブルタップと呼び、指でタッチパネル４２を軽く２回たたく操作である。
【００７４】
また、所定以上の時間タッチオンされる操作をロングタップと呼び、タッチパネル４２の任意の一箇所を長押しする操作である。
【００７５】
ムーブについてはタッチパネル４２上で移動する指やペンの移動方向について、位置座標の変化に基づいて、タッチパネル４２上の垂直成分・水平成分毎に判定できる。
【００７６】
またタッチパネル４２上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル４２上を指ではじくように素早くなぞる操作である。
【００７７】
所定距離以上を、所定速度以上でムーブしたことが検出され、そのままタッチアップが検出されるとフリックが行なわれたと判定できる。
【００７８】
また、所定距離以上を、所定速度未満でムーブしたことが検出された場合はドラッグが行なわれたと判定するものとする。
【００７９】
前記のタップ、ダブルタップ、ロングタップ、フリック、ドラッグなどの操作を総じて、ジェスチャと呼ぶ。上記の操作方法は、タッチパネル４２とタッチパッド４４で共通である。タッチパネル４２、およびタッチパッド４４は、抵抗膜方式や静電容量方式、表面弾性波方式、赤外線方式、電磁誘導方式、画像認識方式、光センサ方式等、様々な方式のうちいずれの方式のものを用いても良い。
【００８０】
（実施例１）
図５はＬＶモード時にＬＣＤパネル４１に表示される画面を例示している。ＬＣＤパネル４１には、撮像素子部２２で撮像されＤ／Ａ変換器２４等を介したライブビュー画像５０１が表示され、電子ビューファインダとして機能している。
【００８１】
ライブビュー画像５０１の上に、各種メニューのボタンが重畳表示されている。画面左上から、ＡＦ機能を選択にするＡＦボタン５０２、ＡＥ機能を選択するＡＥボタン５０３、ホワイトバランス機能を選択するホワイトバランスボタン（以下、ＷＢボタン）５０４が表示されている。また、画面右上から、単写、連写などのドライブモードを選択するドライブモードボタン５０５、記録画質を選択する記録画質ボタン５０６、タッチ操作で合焦から撮像まで自動に行うタッチシャッターの機能を選択するタッチシャッターボタン５０７が表示されている。なお、これらのメニューボタンは、あたかもライブビュー画像５０１の前面に積層されているかのように表示されている。一方、表示ユニット４０裏面のタッチパッド４４がタップされた箇所に応じ、表示面の相当箇所へＡＦ枠５０８が矩形枠で表示される。
【００８２】
各メニューボタンの操作について説明する。
【００８３】
表示面のタッチパネル４２から、表示の各メニューボタンのタップ操作を行うと、各メニューに応じた機能切替が行われる。
【００８４】
ＡＦボタン５０２がタッチパネル４２上でタップされると、ＡＦの測距エリアの切替を行う。測距エリアは、ＡＦ枠５０８と同等の領域を測距エリアとする「１点ＡＦ」、１点ＡＦよりも狭い領域を測距エリアとする「スポット１点ＡＦ」、１点ＡＦの周辺領域も測距エリアとする「領域拡大ＡＦ」等の複数の測距エリアが予め用意されており、タップ操作の度に順次、測距エリアが切り替わる。なお、ＡＦボタン５０２のアイコンは測距エリア毎に用意されており、選択された測距エリアに応じて変更される。
【００８５】
同様にＡＥボタン５０３がタッチパネル４２上でタップされると、ＡＥの測光特性の切替を行う。測光特性の切替は、被写体画像の中央部の所定領域を測光エリアとする「部分測光」、部分測光よりも狭い領域を測光エリアとする「スポット測光」、中央部に重点を置いて、画面全体を平均的に測光する「中央部重点平均測光」等の複数の測光特性が予め用意されており、タップ操作の度に順次、測光特性が切り替わる。なお、ＡＥボタンのアイコンは測光特性毎に用意されており、選択された測光特性に応じて変更される。
【００８６】
また、ＷＢボタン５０４がタッチパネル４２上でタップされると、ホワイトバランスのモード切替を行う。ホワイトバランスのモード切替は、被写体の光源色温度毎に「太陽光」「日陰」「白熱電球」等、複数のホワイトバランスのモードが予め用意されおり、タップ操作の度に順次、ホワイトバランスが切り替わる。なお、ＷＢボタンのアイコンはモード毎に用意されており、選択されたホワイトバランスモードに応じて変更される。
【００８７】
また、ドライブモードボタン５０５がタッチパネル４２上でタップされると、単写、連写など、撮影ドライブモード切替を行う。ドライブのモード切替は、単写を行う「１枚撮影」、高コマ速で連写を行う「高速連写」、低コマ速で連写を行う「低速連写」、セルフタイマーで撮影を行う「セルフタイマー」等、複数のドライブモードが予め用意されており、タップ操作の度に順次、ドライブモードが切り替わる。なお、ドライブモードのアイコンはモード毎に用意されており、選択されたドライブモードに応じて変更される。
【００８８】
また、記録画質ボタン５０６がタッチパネル４２上でタップされると、記録画質の設定切替えを行う。記録画質の設定切替は、高画質のＪＰＥＧファイルで記録する「Ｌ（ラージ）」、中程度の画質のＪＰＥＧファイルで記録する「Ｍ（ミドル）」、低画質のＪＰＥＧファイルで記録する「Ｓ（スモール）」等、複数の記録画質が予め用意されており、タップ操作の度に順次、記録画質の設定が切り替わる。なお、記録画質のアイコンは設定毎に用意されており、選択された記録画質に応じて変更される。
【００８９】
また、タッチシャッターボタン５０７はタッチシャッター機能のＯＮ／ＯＦＦ切替えを行う。タッチシャッター機能は、タッチ操作で合焦から撮像まで自動に行う機能である。本実施例においては、ＡＦ枠５０８を選択する裏面のタッチパッド４４へのタップ操作によって、ＡＦ枠５０８の位置を指定するとともに、合焦から撮像までの一連の駆動を行う。
【００９０】
タッチシャッターボタン５０７へのタップ操作の度に、タッチシャッター機能のＯＮ／ＯＦＦ設定が切り替わる。なお、タッチシャッターボタンのアイコンはＯＮとＯＦＦ設定でそれぞれ用意されており、選択された設定に応じて変更される。
【００９１】
さらに、表示ユニット４０裏面のタッチパッド４４がタップされると、ライブビュー画像５０１内へＡＦ枠５０８が矩形枠で表示される。ＡＦ枠５０８の表示は、タッチパッド４４のタップ位置を表示面へ投影した箇所に表示される。なお、ＡＦ枠５０８はドラッグ操作により、あたかもライブビュー画像５０１内をも移動選択可能なＧＵＩで構成される。また、ＡＦ枠５０８は各メニューボタンが表示された領域も選択可能である。ユーザが裏面のタッチパッド４４より、メニューボタンが表示されている領域をタップ操作した場合、メニューボタンとＡＦ枠５０８が重畳表示される。この際、ＡＦ枠５０８は、あたかも、メニューボタンの背面で、かつライブビュー画像５０１の前面に積層されているかのような表示がなされる。
【００９２】
なお、前述の通り、本発明における操作方法は、表示ユニット４０の表示面タッチパネル４２と、その裏面に配されるタッチパッド４４の双方を操作するため、図３（ｂ）の正位置開状態で操作することを想定している。
【００９３】
なお、本発明の実施例においては、メニューボタンへのタップ操作で、各メニューの機能が切り替わるように構成しているが、メニューボタンへのダブルタップ操作にて、各メニューの詳細メニュー画面へ遷移するように構成しても良い。
【００９４】
図６は本発明の実施例のＬＶ撮影モードにおいて表示面タッチパネルの操作を示すフローチャートである。
【００９５】
ＬＶボタン７６が押圧され、ＬＶモードに入るとステップＳ１０１にてＬＣＤパネル４１にライブビュー画像の表示と、ライブビュー画像に重畳してメニューボタンの表示を行う。ライブビュー画像の表示は撮像素子部２２で取得した被写体画像データをＡ／Ｄ変換器２３を介して、メモリ３２に格納し、格納データをＤ／Ａ変換器２４でアナログ信号に変換してＬＣＤパネル４１に供給することで行われる。
【００９６】
ステップＳ１０１にてライブビュー画像とメニューボタンの表示がなされると、ステップＳ１０２へ進み、システム制御部５０が表示面のタッチパネル４２がユーザより入力されたか否かの判定が行われる。タッチパネル４２の入力検知は抵抗膜方式や静電容量方式などの検知方式にてユーザのタッチ操作を検知する。
【００９７】
ステップＳ１０２にてシステム制御部５０がタッチパネル４２の入力を検知すると、ステップＳ１０３へ進み、ジェスチャ検知が行われる。ジェスチャ検知は、システム制御部５０が、タッチパネル４２の入力を検知し、タップ、ダブルタップ、ロングタップ、フリック、ドラッグのいずれの操作が行われたかを検出する。
【００９８】
ステップＳ１０３にてジェスチャ検出が行われると、ステップＳ１０４へ進み、メニューボタン領域へタップ操作が行われたか否かの判定が行われる。メニューボタン領域へタップ操作は、システム制御部５０がステップＳ１０３でのジェスチャ検知結果を元に、ＬＣＤパネル４１の各メニューボタンを表示している領域へタップ操作がなされたか否かを判定する。
【００９９】
ステップＳ１０４にてメニューボタン領域へタップ操作が行われたと判定すると、ステップＳ１０５へ進み、各メニューの機能切替を行う。メニューの機能の切替えは前述で説明のとおり、システム制御部５０がタップされたメニューボタンに応じて機能の切替えを行う。
【０１００】
ステップＳ１０５にて各メニューの機能切替が行われると、ステップＳ１０６へ進み、メニューアイコン表示の更新が行われる。メニューアイコンは各メニューの機能ごとに予め用意されたおり、システム制御部５０が画像処理部２５を介してＬＣＤパネル４１に表示されたメニューアイコンを更新する。
【０１０１】
ステップＳ１０６にてメニューアイコンの更新が行われると、システム制御部５０は次の操作が受け付けられるよう、待機する。
【０１０２】
図７は本発明の実施例のＬＶ撮影モードにおいて裏面タッチパッドの操作を示すフローチャートである。
【０１０３】
ＬＶボタン７６が押圧され、ＬＶモードに入るとステップＳ２０１にてＬＣＤパネル４１にライブビュー画像の表示と、ライブビュー画像に重畳してメニューボタンの表示を行う。ライブビュー画像の表示は撮像素子部２２で取得した被写体画像データをＡ／Ｄ変換器２３を介して、メモリ３２に格納し、格納データをＤ／Ａ変換器２４でアナログ信号に変換してＬＣＤパネル４１に供給することで行われる。
【０１０４】
ステップＳ２０１にてライブビュー画像とメニューボタンの表示がなされると、ステップＳ２０２へ進み、システム制御部５０が裏面のタッチパッド４４がユーザより入力されたか否かの判定が行われる。タッチパッド４４の入力検知は抵抗膜方式や静電容量方式などの検知方式にてユーザのタッチ操作を検知する。
【０１０５】
ステップＳ２０２にてシステム制御部５０がタッチパッド４４の入力を検知すると、ステップＳ２０３へ進み、ジェスチャ検知が行われる。ジェスチャ検知は、システム制御部５０が、タッチパッド４４の入力を検知し、タップ、ダブルタップ、ロングタップ、フリック、ドラッグのいずれの操作が行われたかを検出する。
【０１０６】
ステップＳ２０３にてジェスチャ検出が行われると、ステップＳ２０４へ進み、ＡＦ枠指定可能領域へタップ操作が行われたか否かの判定が行われる。ここでＡＦ枠指定可能領域とは、既存のコントラストＡＦが可能である領域であり、ライブビュー画像５０１が表示された領域と同一である。ＡＦ枠指定可能領域へタップ操作の検知は、システム制御部５０がタッチパッド４４の入力検知を基に判定を実施する。
【０１０７】
ステップＳ２０４にてＡＦ枠指定可能領域へタップ操作が行われたと判定すると、ステップＳ２０５へ進み、タッチシャッター機能がＯＮであるか否かの判定を行う。タッチシャッター機能がＯＮであるか否かは、システム制御部５０がその時点でのタッチシャッター機能設定状況を読み取ることで行われる。
【０１０８】
ステップＳ２０５でタッチシャッター機能がＯＮであると判定されると、ステップＳ２０６へ進み、ＡＦ枠５０８の表示の更新と、ＡＦ駆動、撮像駆動までの一連の動作を行う。ＡＦ枠５０８の表示更新は、システム制御部５０が、タッチパッド４４より入力されたタップの座標位置を基に、画像処理部２５などを介して、ＡＦ枠５０８をＬＣＤパネル４１に表示することで行われる。また、ＡＦ駆動は次のように行われる。既存のコントラストＡＦ方式にて、システム制御部５０が画像処理部２５の情報を基にライブビュー画像５０１のコントラスト値を検知し、その結果から得られたレンズ駆動量の情報をレンズシステム制御回路４へ伝送する。レンズシステム制御回路４がシステム制御部から受け取った情報を基にＡＦ駆動回路３を駆動させることで、ＡＦ駆動が行われる。また、撮像駆動は次のように行われる。ＡＦ駆動終了後、システム制御部５０がシャッター１０１を駆動させる。シャッター１０１の駆動中に撮像素子部２２へ蓄積された信号をＡ／Ｄ変換器２３を介してメモリ制御部１５へ画像データとして伝送される。メモリ制御部１５は画像データをメモリ３２へ書き込む。一方、撮影結果を表示するため、メモリ制御部１５はＤ／Ａ変換器２４を介して、ＬＣＤパネル４１へ画像データを伝送する。
【０１０９】
ステップ２０６にてＡＦ枠表示の更新、ＡＦ駆動、および撮像駆動が行われると、システム制御部５０は次の操作が受け付けられるよう待機する。
【０１１０】
なお、ステップＳ２０５にてタッチシャッター機能がＯＦＦであると判定されると、ステップＳ２１０へ進み、ＡＦ枠５０８の表示の更新とのみを行い、システム制御部５０は次の操作が受け付けられるよう待機する。
【０１１１】
図６、および図７で記載した通り、表示面のタッチパネル４２の操作はメニューボタンの操作、裏面のタッチパッドの操作はライブビュー画像５０１内のＡＦ枠指定の操作に割れ当てられている。このように重畳表示の階層に応じた操作部材の割り当てをすることで、ユーザに直感的な操作を提供することが可能である。
【０１１２】
（実施例２）
図８は画像編集モード時にＬＣＤパネル４１に表示される画面を例示している。
【０１１３】
図８では画像編集モードにて、合成画像として編集したい複数の画像レイヤを既に読み出した状態を示している。画像レイヤは、メモリ３２に予め保存された図形や描画、もしくは、撮影画像の一部を切り出した被写体画像などで構成される。
【０１１４】
本実施例の画像レイヤの例として、メモリ３２に予め保存された円形画像レイヤ８０１、三角画像レイヤ８０２、矩形画像レイヤ８０３を用いて説明する。
【０１１５】
画像レイヤの読出しは、メモリ３２に保存された複数の画像レイヤ内から、ユーザの十字キー７４、ＳＥＴボタン７５操作にて選択された画像レイヤを、システム制御部５０が、画像処理部２５等を介して、ＬＣＤパネル４１へ表示することで行われる。画像レイヤは読み出された順に前面側、つまり、表示面側へ重畳表示されていく。図８においては円形画像レイヤ８０１が最前面、矩形画像レイヤ８０３が最背面、三角画像レイヤ８０２は、双方の中間に重畳されているため、画像レイヤは、矩形画像レイヤ８０３、三角画像レイヤ８０２、円形画像レイヤ８０１の順で読み出されたことになる。各画像レイヤは、読み出されたのち、タッチパネル４２へのロングタップ操作にて、選択される。ロングタップでの選択の後、タッチパネル４２、もしくは、裏面のタッチパッド４４へのタップ操作で、重畳順序の変更を行うことが可能である。また、ロングタップ操作での選択後、ドラッグ操作で表示位置を移動することが可能である。
【０１１６】
図９は本発明の実施例の画像編集モードにおいて表示面タッチパネル、および、裏面タッチパッドの操作を示すフローチャートである。
【０１１７】
操作部の所定操作にて画像編集モードに入ると、ステップＳ３０１へ進み、画像レイヤの読出しを行う。画像レイヤの読出しは、メモリ３２に保存された複数の画像レイヤ内から、ユーザの十字キー７４、ＳＥＴボタン７５操作にて選択された画像レイヤを、システム制御部５０が、画像処理部２５等を介して、ＬＣＤパネル４１へ表示することで行われる。
【０１１８】
ステップＳ３０２にて画像レイヤの読出しが行われると、ステップＳ３０２へ進み、システム制御部５０が、ユーザより表示面タッチパネル４２へ入力がなされたか否かの判定が行われる。タッチパネル４２の入力検知は抵抗膜方式や静電容量方式などの検知方式にてユーザのタッチ操作を検知する。ステップＳ３０２にてシステム制御部５０がタッチパネル４２の入力を検知すると、ステップＳ３０３へ進み、ジェスチャ検知が行われる。ジェスチャ検知は、システム制御部５０が、タッチパネル４２の入力を検知し、タップ、ダブルタップ、ロングタップ、フリック、ドラッグのいずれの操作が行われたかを検出する。
【０１１９】
ステップＳ３０３にてジェスチャ検出が行われると、ステップＳ３０４へ進み、画像レイヤに対し、ロングタップ操作が行われたか否かの判定が行われる。画像レイヤへのロングタップ検知は、システム制御部５０がタッチパネル４２上でロングタップした位置と、各画像レイヤの表示位置とを検知することで行われる。
【０１２０】
ステップＳ３０４にて画像レイヤにロングタップされたと検知されると、ステップＳ３０５へ進み、ロングタップした画像レイヤの選択表示を行う。画像レイヤの選択表示は、画像レイヤのハイライト表示、輪郭強調表示といった表示で、ユーザによってロングタップされた画像レイヤが選択された旨を表示する。
【０１２１】
ステップＳ３０５にてロングタップしたレイヤの選択表示が行われると、ステップＳ３０６へ進み、タッチパネル４２がタップされたか否かを検知する。
【０１２２】
ステップＳ３０７にてタッチパネル４２のタップが検知されると、ステップＳ３０８へ進み、選択した画像レイヤの重畳順序を一つ背面側へ移動させる処理が行われる。システム制御部５０は画像処理部２５、およびメモリ制御部１５より、各画像レイヤの重畳順序を読み取ったうえで、選択した画像レイヤの重畳順序を入れ替える。例えば、図８における円形画像レイヤ８０１がタップ操作にて重畳順序を一つ背面側へ移動した場合、三角画像レイヤ８０２の背面で、かつ、矩形画像レイヤ８０３の前面の位置へ移動する。
【０１２３】
ステップＳ３０８にてシステム制御部５０により画像レイヤの重畳順序が移動されると、ステップＳ３０９へ進み、重畳表示の更新が行われる。重畳表示の更新は、ステップＳ３０８にてシステム制御部５０が入れ替えた画像レイヤの重畳順序を基に、ＬＣＤパネル４１上で、各画像レイヤの重畳表示状態が更新される。
【０１２４】
ステップＳ３０９にて重畳表示の更新が行わると、システム制御部５０は次の操作が受け付けられるよう、待機する。
【０１２５】
なお、ステップＳ３０６にて表示面タッチパネル４２をタップしていないと判断すると、ステップＳ３１１へ進み、裏面タッチパッド４４がタップされたか否かの検知をする。
【０１２６】
ステップＳ３１１にてタッチパッド４４のタップが検知されると、ステップＳ３１２へ進み、選択した画像レイヤの重畳順序を一つ前面側へ移動させる処理が行われる。システム制御部５０は画像処理部２５、およびメモリ制御部１５より、各画像レイヤの重畳順序を読み取ったうえで、選択した画像レイヤの重畳順序を入れ替える。例えば、図８における矩形画像レイヤ８０３がタップ操作にて重畳順序を一つ前面側へ移動した場合、三角画像レイヤ８０２の前面で、かつ、円形画像レイヤ８０１の背面の位置へ移動する。
【０１２７】
ステップＳ３１２にてシステム制御部５０により画像レイヤの重畳順序が移動されると、ステップＳ３１３へ進み、重畳表示の更新が行われる。重畳表示の更新は、ステップＳ３１２にてシステム制御部５０が入れ替えた画像レイヤの重畳順序を基に、各画像レイヤの重畳表示状態が更新される。
【０１２８】
図８、および図９で記載した通り、画像処理モードにおいて、画像レイヤの順番を入れ替える操作に対し、表示面のタッチパネル４２からのタップ操作で、表示面から奥へ、裏面のタッチパッドのタップ操作で裏面側から手前へ移動する操作方法とした。このように重畳表示の重畳順序変更に対し、表示面からのタッチ操作と裏面からのタッチ操作を利用することで、ユーザに直感的な操作を提供することが可能である。
【符号の説明】
【０１２９】
４１  ＬＣＤパネル、４２  タッチパネル、４４  タッチパッド
【図１（ａ）】
2017174029.tif 000003
【図１（ｂ）】
2017174029.tif 000004
【図１（ｃ）】
2017174029.tif 000005
【図２】
2017174029.tif 000006
【図３】
2017174029.tif 000007
【図４】
2017174029.tif 000008
【図５】
2017174029.tif 000009
【図６】
2017174029.tif 000010
【図７】
2017174029.tif 000011
【図８】
2017174029.tif 000012
【図９】
2017174029.tif 000013